(57)【要約】【課題】遮光紙を用いた紙カップの胴部材において、胴部材の端部にスプーンなどが接触して遮光紙の遮光層が可視化された場合でも、可視化される黒味の色合いが目立たないようにして、遮光紙を胴部材の包材として用いて遮光性に優れた紙カップを得る。【解決手段】紙カップ１の胴部材４を、遮光紙８のカップ内方となる側の紙層１０の表面に、胴部材４の端部重ね合わせ部分１３でのカップ内方となる端部５に沿った領域を非印刷領域にして遮光紙８の紙層１０の表面が細帯状に表出する非印刷面部１２と、非印刷面部１２以外のカップ胴部の内周に亘って位置して黒色インキをベタ印刷してなる黒色印刷面部１１とを有するものとし、非印刷面部１２と黒色印刷面部１１とを透明樹脂層１４で覆われているものとした。【選択図】図２
2017202866.tif 000002
【特許請求の範囲】
【請求項１】
端部同士が重ね合わされて貼り合わされている胴部材を、カーボンブラックを顔料として有する遮光層の表裏に紙層を積層した遮光紙とした紙カップであって、
前記胴部材は、遮光紙のカップ内方となる側の片面に、胴部材の端部重ね合わせ部分でのカップ内方となる端部に沿った領域を非印刷領域にして遮光紙の前記片面が細帯状に表出する非印刷面部と、この非印刷面部以外のカップ胴部の内周に亘って位置して黒色インキをベタ印刷してなる黒色印刷面部とを有し、
前記非印刷面部と黒色印刷面部とが透明樹脂層で覆われていることを特徴とする紙カップ。
【請求項２】
上記非印刷面部は、胴部包材の端面からの吸水により遮光層の色が紙層を介して目視可能となる細帯状の可視化領域とされていて、この視化領域が黒色印刷面部の間に位置している請求項１に記載の紙カップ。
【発明の詳細な説明】
【技術分野】
【０００１】
本発明は、食品包装の用途にして利用することができる遮光性を有した紙カップに関するものである。
【背景技術】
【０００２】
従来、内容物に対する光劣化防止のための機能を有した紙製のカップや容器などでは、包材として厚紙原紙にアルミニウム箔やアルミニウム層を積層した積層紙を利用したものが知られている。
【０００３】
しかしながら、内容物がアイスクリームなどの食品とされる場合、品質管理の一環として、金属系切子などの混入を検査するための金属探知機を使用することが多いため、上記厚紙原紙にアルミニウム箔やアルミニウム層を積層した包材から食品用のカップや容器を製造することができないものであった。
【０００４】
また上記アルミニウム箔やアルミニウム蒸着層などからなる遮光層を層構成中に有する包材を採用したカップや容器を使用後に廃棄物処分する場合、焼却することが多いが、焼却炉の火格子に溶けた金属が残渣として絡んでしまい、焼却効率を低下させるばかりか火格子を損傷させるなどの問題がある。
【０００５】
このような状況から、食品包装用のカップに用いられて遮光性を有する紙製の包材の用途に、例えば特許文献１に、顔料としてカーボンブラックを用いて不透明度を調整した中間層を遮光層とし、この遮光層の両面に位置していてシート紙である紙層を重ねた積層の遮光紙が提案されている。
【０００６】
また特許文献２に、紙製の遮光カップの胴部材として、金属層を含まずに厚紙原紙の内側に墨インキ層からなる遮光層を設けてこれを乳白ポリエチレン層で覆った層構成を有する積層紙を用いる提案が示されている。そして、この特許文献２では、胴部材の周辺に沿って前記墨インキ層との同一層位置にして一定幅の非印刷部を設けて、墨インキ層を胴部材の端面に表出させず、墨インキが内容物と接触するのを防止する技術も示されている。
【先行技術文献】
【特許文献】
【０００７】
【特許文献１】特開２０１５−０８６４７９号公報
【特許文献２】特開平１０−１２９７４０号公報
【発明の概要】
【発明が解決しようとする課題】
【０００８】
顔料としてカーボンブラックを用いる上記遮光紙では、中間層である遮光層としてバージンパルプにカーボンブラックを固着させた紙繊維を漉き込んで遮光性を発現させるようにしている。そしてこの遮光紙を利用して上記食品包装用のカップの胴部材用の包材とする場合、遮光紙の表裏両面である紙層それぞれに、透明でヒートシール性を有する合成樹脂層を重ね合わせた積層紙を作製してこれを包材とし、この包材から紙カップの胴部材を作製している。
【０００９】
図４は遮光紙ａの表裏面の紙層ｂに上記透明樹脂層ｃを積層した積層紙ｄから紙カップの胴部材ｅを作製し、胴部材ｅの端部ｆ同士を重ね合わせ、重ね合わせの部分で対向した透明樹脂層ｃを融着させて、紙カップの胴部が形成されている状態の前記重ね合わせ部分での端部ｆを示している。
【００１０】
そして上記遮光紙を紙カップの胴部材に用いると、端部ｆの端面に内容物が触れることとなり、サイズ剤（にじみ止め剤）を遮光紙に付与させているとしても、内容物が水分を含む食品などである場合には、端部ｆの端面から多少の水分の染み込みが発生するのが現状である。
【００１１】
しかしながら、内容物が水分を含んでいてスプーンなどですくって取り出す食品である場合、水分を含んだ端部ｆの部分にスプーンなどが接触して押しの圧力が加わることで、圧力が加わった紙層ｂと遮光層ｇとの紙繊維の部分が吸水して透明化し、透明化された部分で遮光層ｇの色合いが可視化されてしまう場合がある。
【００１２】
この遮光層の色合いが可視化されることはカーボン成分が溶出するわけではないが、前記スプーンなどを操作して食品をすくい上げた消費者が、遮光層の色合いが可視化された部分を見るとカビと判断され易く、食品収容用途の紙カップとしては好ましくない現象が発生する可能性があった。
【００１３】
そこで本発明は上記事情に鑑み、顔料としてカーボンブラックを含む遮光層を備えた遮光紙を用いた紙カップの胴部材において、この胴部材の端部にスプーンなどが接触して遮光層の色合いが可視化された場合でも、可視化される黒い色合いが目立たないようにすることを課題とし、前記遮光紙を胴部材の包材として用いて遮光性に優れた紙カップを得ることを目的とするものである。
【課題を解決するための手段】
【００１４】
（請求項１の発明）
本発明は上記課題を考慮してなされたもので、端部同士が重ね合わされて貼り合わされている胴部材を、カーボンブラックを顔料として有する遮光層の表裏に紙層を積層した遮光紙とした紙カップであって、
前記胴部材は、遮光紙のカップ内方となる側の片面に、胴部材の端部重ね合わせ部分でのカップ内方となる端部に沿った領域を非印刷領域にして遮光紙の前記片面が細帯状に表出する非印刷面部と、この非印刷面部以外のカップ胴部の内周に亘って位置して黒色インキをベタ印刷してなる黒色印刷面部とを有し、
前記非印刷面部と黒色印刷面部とが透明樹脂層で覆われていることを特徴とする紙カップを提供して、上記課題を解消するものである。
【００１５】
（請求項２の発明）
そして本発明において、上記非印刷面部は、胴部包材の端面からの吸水により遮光層の色が紙層を介して目視可能となる細帯状の可視化領域とされていて、この可視化領域が黒色印刷面部の間に位置しているものとすることが可能である。
【発明の効果】
【００１６】
（請求項１の発明の効果）
請求項１の発明によれば、胴部材の端部重ね合わせ部分でのカップ内方となる端部に沿った領域を非印刷領域にして遮光紙の前記片面が表出する非印刷面部と、この非印刷面部以外のカップ胴部の内周に亘って位置して黒色インキをベタ印刷してなる黒色印刷面部とを有しているので、カップ内方の端部に沿う非印刷面部と黒色印刷面部とが並設した状態となる。
【００１７】
そして端部重ね合わせ部分では、非印刷面部とこの非印刷面部に並設する黒色印刷面部との色合いを比べれば、黒色印刷面部の黒色の方が強く目に付くようになる。そのため仮にカップ内方の端部端面から水分が染み込んで、その染み込んだ端部がスプーンなどで擦られたときに、その擦った部分で遮光層の色合いが透けて見えるようなこととなっても、非印刷面部で透けて見える黒味が目立たないようになる。
【００１８】
（請求項２の発明の効果）
請求項２の発明によれば、可視化領域である細帯状の非印刷面部が黒色印刷面部の間に位置しているので、その非印刷面部で上述のように遮光層の色合いが透けて見えるような状態となっても、その状態がより一層目立つことがないという効果を奏する。
【図面の簡単な説明】
【００１９】
【図１】本発明に係る紙カップの一例を斜視の状態で示す説明図である。
【図２】一例における胴部の端部重ね合わせ部分を断面の状態で示す説明図である。
【図３】黒ずみの状態を示すもので（Ａ）は実施例での黒ずみの目立ち方を示す説明図、（Ｂ）は比較例での黒ずみの目立ち方を示す説明図である。
【図４】従来における紙カップの胴部の端部重ね合わせ部分を断面の状態で示す説明図である。
【発明を実施するための形態】
【００２０】
つぎに本発明を図示の実施例に基づいて詳細に説明する。図中１は本発明に係る紙カップで、該紙カップ１はテーパー状にして上方に開いた筒状の胴部２とこの胴部２の下部に位置する底部３とを備えている。前記胴部２は積層構成の包材からなる胴部材４を上方に向けて先開きとなる筒状に丸めて、胴回り方向で対向する端部５を重ね合わせて貼り合わされている。底部３は積層構成の包材からなる円板状の底面材６を用いたものである。
【００２１】
そして胴部材４の上辺を径方向外方に向けて張り出させてから折り返すことで胴部２でのフランジ７を形成するとともに、胴部材４の下辺を内方に折り返して形成した溝部分に上記底面材６の折り下げられている周辺を挿し入れて、胴部材４の下辺と底面材６の周辺とを接合することで、胴部２の下部に底部３が連結されている。
【００２２】
（遮光紙）
紙カップ１の胴部２については、外部からの光が胴部２を通ることで内容物を劣化させることのないように図られていて、胴部２の包材である胴部材４は遮光性を有する遮光紙８を用いて作製されている。
【００２３】
遮光紙８は、カーボンブラックを顔料として紙繊維に固着させた遮光層９と、この遮光層９の表裏に位置する紙層１０とが積層しているものであって、バージンパルプにカーボンブラックが固着した紙繊維の組織が間となるように漉き込んでおり、カーボンブラックが紙繊維に固着した組織の部分が前記遮光層９となり、この遮光層９の表裏の部分で形成されたバージンパルプの紙繊維による組織を紙層１０としている。
【００２４】
（胴部材）
そして遮光紙８を用いた胴部材４においては、その遮光紙８のカップ内方となる側の紙層１０の表面に、黒色インキをベタ印刷してなる黒色印刷面部１１と、この黒色インキによる印刷を行なわずに紙層１０の表面が見えるようにしている非印刷面部１２とを有している。（図２参照）
【００２５】
上記非印刷面部１２は、図２に示されているように胴部材４の端部重ね合わせ部分１３でのカップ内方となる端部５に沿った領域を非印刷領域にしてなるものであり、前記端部５に沿って細帯状にして上記紙層１０の表面が表出する部分としている。
【００２６】
さらに上記遮光紙８の表裏がヒートシール性を有する透明樹脂層１４がラミネート法により積層されて一体となっている。そして、胴部材４のカップ内方側の紙層１０の表面に設けられた非印刷面部１２と黒色印刷面部１１とが上記透明樹脂層１４に覆われている。
【００２７】
上記非印刷面部１２と黒色印刷面部１１とが透明樹脂層１４に覆われていることから、端部重ね合わせ部分１３のカップ内方となる端部５の端面では黒色印刷面部１１が表出せず、黒色印刷面部１１に印刷されている黒色インキが内容物と接触しないようにしている。なお、端部重ね合わせ部分１３にあっては相対する端部５の透明樹脂層１４同士が溶着して、これによって端部５同士が貼り合わされている。
【００２８】
上記説明のように紙カップ１の胴部材４では、におけるカップ内方側の端部５では、カップ内方となる側の紙層１０の前記端部５に沿った領域を非印刷領域にして非印刷面部１２としており、この非印刷面部１２を細帯状で一定幅にしている。そして非印刷面部１２はつぎに説明する条件となったときに遮光紙８での上記遮光層９の黒色が透けて見えるようになる細帯状の可視化領域とされている部分である。
【００２９】
その点を説明すると、まず紙カップ１に充填される内容物が食品などのように水分の多いものであると、胴部材４におけるカップ内方の端部５の端面から内容物が含んでいる水分を吸い易い。そして、吸水した端部５にカップ内方からスプーンなどで擦る圧力が加わると、その圧力が加わった箇所で紙層１０の紙繊維組織中に水分が行き渡ってしまいその箇所での紙層１０の透明度が高くなる。
【００３０】
そして紙層１０の透明度が高くなった箇所を介して遮光層９の黒色が透けて見える目視可能な状態となる。このように非印刷面部１２は可視化領域とされているが、本実施の形態では非印刷面部１２がカップ高さ方向に亘る縦の細帯状で一定幅であることから、可視化領域はカップ高さ方向に亘る縦の細帯状で一定幅とされており、さらに図２に示すように、カップ内方の端部５側である黒色印刷面部１１ａと、カップ内方の前記端部５とは反対の端部５側であって端部重ね合わせ部分１３の側方に位置している黒色印刷面部１１ｂ（端部重ね合わせ部１３のカップ外方の端部５側で端部重ね合わせ部分１３の側方でカップ内方に向けて表われている部分）との間に位置している。
【００３１】
非印刷面部１２は紙層１０の地の色が表われて白い部分であり可視化領域とされているが、両側が黒色印刷面部１１であってこの黒色印刷面部１１の間に位置する細帯状とされていることから、非印刷面部１２で遮光層９の黒い色が透けて見えたとしても目立つことがなく、カビや汚れなどとして誤って判断されることを防止できる。なお、非印刷面部１２のカップ胴回り方向での幅寸法は端部重ね合わせ部分１３でのカップ胴回り方向での幅寸法に比べて十分に小さいものとしている。
【００３２】
（黒ずみの目立ち方の対比  ＩＰＡ浸透試験）
つぎに実施例と比較例として、それぞれ遮光紙を用いた紙カップを成形し、これに液体を入れて、胴部の端部重ね合わせ部分でのカップ内方の端部端面から液体が染み込むことでカップ内方の端部側に黒ずみが生じるようにし、黒色印刷面部の無い紙カップと黒色印刷面部を有する紙カップとで黒ずみの目立ち方を対比し、その結果を以下に示す。
【００３３】
・まず遮光紙であるゼブラＣ耐酸カップ原紙２６０／ｍ２（日本製紙クレシア株式会社製）にグラビア印刷機で印刷し、押し出しラミネーターで両面にペトロセン２０５（東ソー株式会社製）を貼り合わせて、加工原紙（紙カップの包材）を作製した。
・透明樹脂層として貼り合わせた前記ペトロセン２０５の層厚は、表面２０μｍ、裏面３０μｍとした。
・つぎに加工原紙をカップブランクに打ち抜き、カップ成型機にてカップ成型した。
・確認の方法として、浸透性の高いアルコール（ＩＰＡ：イソプロピルアルコール）を紙カップ（実施例、比較例）に注ぎ、黒ずみの目立ち方を目視にて比較した。
【００３４】
（実施例）
・実施例として成型した紙カップについては、上述のように胴部材はカップ内方の片面に、上記カップ内方側となる端部に沿う非印刷領域の細帯状とした非印刷面部と、上記グラビア印刷機にて黒色インキをベタ印刷した黒色印刷面部とを有する。カップ外方の片面は、上記グラビア印刷機にて通常印刷を行なった。
【００３５】
（比較例）
・比較例として成型した紙カップについては、胴部材のカップ内方の片面は無印刷とした。カップ外方の片面は、上記グラビア印刷機にて通常印刷を行なった。
【００３６】
図３ではアルコールが浸透した実施例（Ａ）と比較例（Ｂ）とを写真撮影した状態を表している。図に示されているように黒色印刷面部を設けることで黒ずみの見た目での目立ち方を軽減させることができた。
【００３７】
（明度・色度測定の結果）
つぎに黒色印刷面部を有する紙カップと、黒色印刷面部の代わりに色合いの異なる灰色インキによる印刷を施して形成した印刷面部を有する紙カップとを作成した。そしてエックスライト社製の分光光度計Ｘ−Ｒｉｔｅ  ｅＸａｃｔを使用し、Ｌ＊ａ＊ｂ＊表色系において明度・色度を測定した。その結果を表１に示した。
【００３８】
黒色印刷面部を有する紙カップでの黒色印刷面部は、黒ベタ階調１００％である。灰色インキによりなる印刷面部を有する紙カップにあっては、二種作成し、一方は灰ベタ階調１００％とし、他方は灰ベタ階調８５％とした。黒色印刷面部を有する紙カップと二種の灰色の印刷面部を有する紙カップとはそれぞれ試料数ｎ＝３とした。明度はＬ＊、色相と再度を示す色度はａ＊、ｂ＊である。
【００３９】
【表１】
2017202866.tif 000003
【００４０】
明度Ｌ＊が５０％以下であれば隠蔽性があり、２５％以下であれば十分な隠蔽性が確保できる。この点から表１に示す黒ベタ階調１００％とした黒印刷面部を有する紙カップについては、ほぼ十分な隠蔽性を有する。よって本発明による紙カップにおいては、良好な隠蔽性を有する紙カップとなると判断できた。
【００４１】
つぎにスプーンで、本発明における紙カップに水を入れて、カップ内方の端部の端面側を擦ったときに発生する黒ずみの距離（胴回り方向での幅）を測定し、その結果を表２に示す。カップ端部の端面側をスプーンで下から上へ刷り上げる動作を一回とした。試料数ｎ＝５
【００４２】
【表２】
2017202866.tif 000004
【００４３】
表２に示す結果から、紙カップのカップ内方の端部の位置からのインキ逃げの寸法としては１．５ｍｍ以上が好ましいことが判断できる。よって非印刷面部の胴回り方向での幅寸法としては、１．５〜５ｍｍが好ましい。即ち、紙カップの胴部材の端部貼り合わせにおいて胴部材が重なっている部分の距離が、概ね５〜６ｍｍであるので、上限を５ｍｍに設定した。よって非印刷面部の幅寸法を１．５〜５ｍｍの範囲とすれば、通常の紙カップでの胴部材の端部貼り合わせ部分の寸法内にこの非印刷面部を収めることができる。
【符号の説明】
【００４４】
１…紙カップ
４…胴部材
５…端部
６…底面材
７…フランジ
８…遮光紙
９…遮光層
１０…紙層
１１、１１ａ、１１ｂ…黒色印刷面部
１２…非印刷面部
１３…端部重ね合わせ部分
１４…透明樹脂層
【図１】
2017202866.tif 000005
【図２】
2017202866.tif 000006
【図３】
2017202866.tif 000007
【図４】
2017202866.tif 000008